(57)【要約】【課題】デジタル変調信号伝送装置のシンボルクロック周波数の高調波の混入の影響を低減して、シールド等の部材を省略し、部品近接配置による小型化が可能となるデジタル変調伝送装置を実現する。【解決手段】送信制御部と送信高周波部または受信高周波部と受信制御部の少なくとも一方を分離し、中間周波数で送信制御部と送信高周波部または受信高周波部と受信制御部の少なくとも一方の間を伝送してデジタル変調信号の送信または受信の少なくとも一方を行うデジタル変調伝送装置において、シンボルクロック周波数を中間中心周波数１３０ＭＨｚの２／１９の約１３．６８４ＭＨｚとすることを特徴とするデジタル伝送方法。【選択図】図１
2008118463.tif 000002
【特許請求の範囲】
【請求項１】
送信制御部と送信高周波部または受信高周波部と受信制御部の少なくとも一方を分離し、中間周波数で送信制御部と送信高周波部または受信高周波部と受信制御部の少なくとも一方の間を伝送してデジタル変調信号の送信または受信の少なくとも一方を行うデジタル変調伝送装置において、中間中心周波数とシンボルクロックの高調波との差をサンプリング帯域の２／３つまり上記シンボルクロックの１／３より大きくする上記シンボルクロック周波数、かつＲＦ帯域以内に変調波を収める上記シンボルクロック周波数とすることを特徴とするデジタル伝送方法。
【請求項２】
前記デジタル変調伝送装置において、上記シンボルクロックの高調波を上記中間周波数のサンプリング帯域外として高調波を混入させない上記シンボルクロック周波数とすることを特徴とするデジタル伝送方法。
【発明の詳細な説明】
【技術分野】
【０００１】
本発明は、映像やデータをデジタル信号化し伝送するディジタル変調復調を行う伝送装置に関する。
【背景技術】
【０００２】
映像や音声信号の無線伝送には、数年前はアナログＦＭによる方法で映像や音声を伝送していたが、近年、ＱＡＭ（Ｑｕａｄｒａｔｕｒｅ  Ａｍｐｌｉｔｕｄｅ  Ｍｏｄｕｌａｔｉｏｎ）及びＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ）方式などによるデジタル伝送方式が用いられるようになっている。
【０００３】
テレビ中継は、山頂や高いビルにある受信基地（ほとんどの場合送信所を併設）で受けた番組を、本社へマイクロ波にて送られる。この送信所（Ｔｒａｎｓｍｉｔｔｅｒ）からスタジオ（Ｓｔｕｄｉｏ）へ繋ぐ伝送装置をＴＳＬと呼ぶ。
【０００４】
このＴＳＬ装置は、一般家庭への伝送を行う重要な回線であり、変調を行う送信制御部、マイクロ波に変換する送信高周波部、電源等からの構成としている。
【０００５】
デジタル伝送システムの全体構成を示すブロック図を図３に、ＴＳＬ送信の基本処理構成構成を示すブロック図を図４に、ＴＳＬ変調部の構成を示すブロック図を図５に、ＴＳＬ受信の基本処理構成構成を示すブロック図を図６に、ＴＳＬ復調部の構成を示すブロック図を図７に、ＴＳＬ伝送信号のタイムチャートの模式図を図８に示す。詳細は、発明を実施するための最良の形態で説明する。
【０００６】
デジタル伝送システムの全体構成を示すブロック図の図３において、送信制御部（ＴＣ）１３に入力した映像信号のＴＳ信号は、デジタル変調部（Ｄ−ＭＯＤ）１でＱＡＭ方式にてデジタル変調されＤＡ変換器（Ｄ／Ａ）２と帯域濾波器（ＢＦＰ）３を介して、混合器（ＭＩＸＥＲ）４で中間周波数ＩＦとなり、送信高周波部（ＴＨ）１４から送信され、伝送路１５を介し、受信高周波部（ＴＨ）１６に到達し、中間周波数ＩＦとなり、受信制御部（ＴＣ）内の混合器（ＭＩＸＥＲ）４で低域に変換され帯域濾波器（ＢＦＰ）３を介してＡＤ変換器（Ａ／Ｄ）でデジタル信号に戻り、デジタル復調部（Ｄ−ＤＥＭ）１０でＴＳ信号に復調される。
【０００７】
ＴＳＬ送信の基本処理構成構成を示すブロック図の図４とＴＳＬ伝送信号のタイムチャートの模式図の図８ににおいて、デジタル変調部（Ｄ−ＭＯＤ）１内で、ＰＬＬ-ＶＣＯの１−６は、システムクロックＣＫｔを入力され、所定の周波数のクロックを各部に送る。コントローラの１−５はクロックを受け、変調部（含む内符号化）（ＭＯＤ）の１−３へ、プリアンブル期間にＨとなるパルスを渡す。
【０００８】
ＴＳＬ変調部の構成を示すブロック図の図５とＴＳＬ伝送信号のタイムチャートの模式図の図８において、放送ＴＳ入力は、外部符合部１−７とメモリ１−８を経由し、プリアンブル期間を除く期間に時間圧縮される。その後、変調部（含む内符号化）（ＭＯＤ）の１−３によりＱＡＭ変調され、プリアンブル挿入部１−１０により、プリアンブルを挿入され次段のＤＡ変換器（Ｄ／Ａ）２へ入力される。プリアンブルの役目は、受信側において、その後に続くデータシンボルのサンプルタイミングの決定や、伝送によって生じた波形歪を補正するために利用される。
【０００９】
デジタル変調処理を行うデジタル回路の基本動作システムクロックはシンボルレートと同一の周波数であり、以下システムクロック周波数ｆｃとする。図２に従来のシステムクロック周波数ｆｃと中間周波数ＩＦを示す模式図を示す。
【００１０】
無線信号のデジタル処理のクロックの逓倍を中間周波数の基準周波数にしていた例もある。（特許文献１参照）
【特許文献１】特開平４−２５０３８５
【発明の開示】
【発明が解決しようとする課題】
【００１１】
以上説明した従来の構成において、従来のシステムクロック周波数ｆｃと中間周波数ＩＦを示す模式図の図２において、従来のシステムクロック周波数ｆｃ＝１３．３５ＭＨｚの１０倍の高調波１０ｆｃ＝１３３．５ＭＨｚが中間周波数ＩＦ＝１３０ＭＨｚを中心とする上下のＩＦ帯域に混入し、システムクロック周波数の半分の６．６７５ＭＨｚのサンプリング帯域１２３．３２５ＭＨｚから１３６．６７５ＭＨｚに強く含まれ、シールドを強化しないと伝送特性に影響をあたえる。
【課題を解決するための手段】
【００１２】
本発明は、上記課題を解決するため、送信制御部と送信高周波部または受信高周波部と受信制御部の少なくとも一方を分離し、中間周波数で送信制御部と送信高周波部または受信高周波部と受信制御部の少なくとも一方の間を伝送してデジタル変調信号の送信または受信の少なくとも一方を行うデジタル変調伝送装置において、中間中心周波数とシンボルクロックの高調波との差をサンプリング帯域の２／３つまり上記シンボルクロックの１／３より大きくする上記シンボルクロック周波数、かつＲＦ帯域以内に変調波を収める上記シンボルクロック周波数とする。
具体的手段としては上記において、上記シンボルクロック周波数を上記中間中心周波数１３０ＭＨｚの３／２９倍の１３．４４８ＭＨｚより高く、かつ１８ＭＨｚのＲＦ帯域の０．７６９倍のロールオフ帯域１３．８４６ＭＨｚより低くする。
【００１３】
特に上記において、上記シンボルクロックの高調波を上記中間周波数のサンプリング帯域外として高調波を混入させない上記シンボルクロック周波数とする。
具体的手段としては上記において、上記シンボルクロック周波数を上記中間中心周波数１３０ＭＨｚの２／１９の約１３．６８４ＭＨｚとする。
【発明の効果】
【００１４】
以上説明したように本発明によれば、
10fc−130＝fc／3  
∴fc＝130／(29／3)≒13.448
とシンボルクロック周波数を中間中心周波数１３０ＭＨｚの２／１９の約１３．６８４ＭＨｚとすれば、中間中心周波数とシンボルクロックの高調波との差が、サンプリング帯域の２／３つまりシンボルクロックの１／３より大きくなるので、デジタル変調信号受信装置にて、高調波の混入の影響は低減できるため、シールド等の部材を省略して、装置を製造できる。
【００１５】
また、シンボルクロックが通常１８ＭＨｚのＲＦ帯域の通常０．７６９倍で１３．８４６ＭＨｚのロールオフ帯域より低くなるため、１８ＭＨｚのＲＦ帯域以内に変調波が収まる。
【００１６】
特に、中間周波数の２倍を奇数で割った周波数をシンボルクロックの周波数とすれば、シンボルクロックの高調波はサンプリング帯域外となり、高調波は混入しない。具体的には、中間周波数１３０ＭＨｚの２／１９の約１３．６８４ＭＨｚとする。
【００１７】
本発明の一実施例のシステムクロック周波数ｆｃと中間周波数ＩＦを示す模式図を図１に示す。本発明の一実施例のシステムクロック周波数ｆｃ＝１３．６８４ＭＨｚの９倍の高調波９ｆｃ＝１２３．１５６ＭＨｚと１０倍の高調波１０ｆｃ＝１３６．８４ＭＨｚともに中間周波数ＩＦ＝１３０ＭＨｚを中心とする上下のＩＦ帯域外で、システムクロック周波数の半分の６．８４２ＭＨｚのサンプリング帯域１２３．１４８ＭＨｚから１３６．８４２ＭＨｚにはほとんど含まれない。したがって、シールド等の部材を大幅に省略して、近接配置して小型の装置を製造できる。
【発明を実施するための最良の形態】
【００１８】
デジタル伝送システムの全体構成を示すブロック図を図３に、ＴＳＬ送信の基本処理構成構成を示すブロック図を図４に、ＴＳＬ変調部の構成を示すブロック図を図５に、ＴＳＬ受信の基本処理構成構成を示すブロック図を図６に、ＴＳＬ復調部の構成を示すブロック図を図７に、ＴＳＬ伝送信号のタイムチャートの模式図を図８に示す。
【００１９】
デジタル伝送システムの全体構成を示すブロック図の図３において、送信制御部（ＴＣ）１３に入力した映像信号のＴＳ信号は、デジタル変調部（Ｄ−ＭＯＤ）１でＱＡＭ方式にてデジタル変調されＤＡ変換器（Ｄ／Ａ）２と帯域濾波器（ＢＦＰ）３を介して、混合器（ＭＩＸＥＲ）４で中間周波数ＩＦとなり、送信高周波部（ＴＨ）１４から送信され、伝送路１５を介し、受信高周波部（ＴＨ）１６に到達し、中間周波数ＩＦとなり、受信制御部（ＴＣ）内の混合器（ＭＩＸＥＲ）４で低域に変換され帯域濾波器（ＢＦＰ）３を介してＡＤ変換器（Ａ／Ｄ）でデジタル信号に戻り、デジタル復調部（Ｄ−ＤＥＭ）１０でＴＳ信号に復調される。発信器５はシステムクロック発信器（ＯＳＣ−Ｓｔ）であり、発信器６は低周波を送信中間周波数ＩＦに変換する為の局部発信器（ＬＯｔ）である。発信器１１は受信中間周波数ＩＦを低周波に変換する為の局部発信器（ＬＯｒ）であり、発信器１２は受信システムクロックの可変発信器（ＶＣＯ−Ｓｒ）であり、検出信号ＶＣＯｃｏｎｔと検出信号ＬＯｃｏｎｔで制御される。
【００２０】
ＴＳＬ送信の基本処理構成構成を示すブロック図の図４とＴＳＬ伝送信号のタイムチャートの模式図の図８ににおいて、デジタル変調部（Ｄ−ＭＯＤ）１内で、ＰＬＬ-ＶＣＯの１−６は、システムクロックＣＫｔを入力され、所定の周波数のクロックを各部に送る。コントローラの１−５はクロックを受け、変調部（含む内符号化）（ＭＯＤ）の１−３へ、プリアンブル期間にＨとなるパルスを渡す。
ＴＳＬ変調部の構成を示すブロック図の図５とＴＳＬ伝送信号のタイムチャートの模式図の図８において、放送ＴＳ入力は、外部符合部１−７とメモリ１−８を経由し、プリアンブル期間を除く期間に時間圧縮される。その後、変調部（含む内符号化）（ＭＯＤ）の１−３によりＱＡＭ変調され、プリアンブル挿入部１−１０により、プリアンブルを挿入され次段のＤＡ変換器（Ｄ／Ａ）２へ入力される。プリアンブルの役目は、受信側において、その後に続くデータシンボルのサンプルタイミングの決定や、伝送によって生じた波形歪を補正するために利用される。
【００２１】
ＴＳＬ伝送システムの全体構成を示すブロック図の図３と、ＴＳＬ受信の基本処理構成構成を示すブロック図の図６において、デジタル復調部（Ｄ−ＤＥＭ）１０内で、復調部（含む内訂正化）（ＤＥＭ）１０−１のＩＦ入力からの検出信号ＶＣＯｃｏｎｔを受けたＰＬＬ-ＶＣＯの１２は、所定の周波数のシステムクロックを各部に送る。コントローラの１０−４はシステムクロックＣＫｒを受け、外訂正化部の１０−２へ制御信号を渡し、放送ＴＳを出力させる。
【００２２】
ＴＳＬ復調部の構成を示すブロック図の図７おいて、復調部（含む内訂正化）（ＤＥＭ）１０−１内で、ＩＦ入力からプリアンブル抽出部の１０−７でＰｒパルスが抽出され、等化計算部の１０−８と等化部１０―５とで、等化され、復調部の１０−６で復調され、次段の外訂正化部の１０−２へ入力される。復調部の１０−６から検出信号ＶＣＯｃｏｎｔと検出信号ＬＯｃｏｎｔも出力される。
【００２３】
ＴＳＬ同期検出相関部の構成を示すブロック図の図９において、１０−１１は複素相関演算部であり、ＩＦ入力のＩｓｇとＲｓｇとから同期パルスＳＴを算出する。１０−１２はパイロット検出部であり、ＩＦ入力のＩｓｇとＲｓｇとからパイロット検出パルスを算出する。１０−１３はフレーム検出部であり、同期パルスＳＴとパイロット検出パルスから、フレームパルスＦＳＴｒを出力する。１０−１４は補正部であり、同期パルスＳＴとパイロット検出パルスとフレームパルスＦＳＴｒとから、検出信号ＶＣＯｃｏｎｔを算出する。
【００２４】
ＴＳＬ複素相関演算部の構成を示すブロック図の図１０において、１０−１００，１０−１０１，１０−１０２，１０−１０３，１０−１０４，１０−１１８は遅延回路、１０−１３１，１０−１３２，１０−１４０は乗算器、１０−１４１は加算器であり、ＩＦ入力のＩｓｇとＲｓｇに複素相関演算を行い、
同期ワードシンボルのＳＷ１〜ＳＷ１０が入力し終わった時点で、相関ピークＳｃが加算器１０−１４１から得られる。１０−１４２はレベル検出部であり、閾値電圧Ｖｔｈを算出する。１０−１４３は比較器であり、相関ピークＳｃと閾値電圧Ｖｔｈから、同期パルスＳＴを算出する。
【図面の簡単な説明】
【００２５】
【図１】本発明の一実施例のシステムクロック周波数fcと中間周波数IFを示す模式図
【図２】従来のシステムクロック周波数fcと中間周波数IFを示す模式図
【図３】ＴＳＬ伝送システムの全体構成を示すブロック図
【図４】ＴＳＬ送信の基本処理構成構成を示すブロック図
【図５】ＴＳＬ変調部の構成を示すブロック図
【図６】ＴＳＬ受信の基本処理構成構成を示すブロック図
【図７】ＴＳＬ復調部の構成を示すブロック図
【図８】ＴＳＬ伝送信号のタイムチャートの模式図
【図９】ＴＳＬ同期検出相関部の構成を示すブロック図
【図１０】ＴＳＬ複素相関演算部の構成を示すブロック図
【符号の説明】
【００２６】
１：デジタル変調部（Ｄ−ＭＯＤ）、２：ＤＡ変換器（Ｄ／Ａ）、
３，８：帯域濾波器（ＢＦＰ）、
４，７：混合器（ＭＩＸＥＲ）、５，６，１１，１２：発信器
９：ＡＤ変換器（Ａ／Ｄ）、１０：デジタル復調部（Ｄ−ＤＥＭ）、
１３：送信制御部（ＴＣ）、１４：送信高周波部（ＴＨ）、１５：伝送路
１６：受信高周波部（ＴＨ）、１７：受信制御部（ＴＣ）、
１−１，１−８：メモリ、１−２：選択部（ＳＥＬ）、
１―３：変調部（含む内符号化）（ＭＯＤ）、１−４：プリアンブル発生部
１−５、１０−４：制御部（ＣＯＮＴ）
１−６、１０−３：位相同期発信器（ＰＬＬ−ＶＣＯ）、１−７：外部符合部、
１―９：変調部、１−１０：プリアンブル挿入部
１０−１：復調部（含む内訂正化）（ＤＥＭ）、１０−２：外訂正化部、
１０―５：等化部、１０−６：復調部、１０−７：プリアンブル抽出部
１０−８：等化計算部、
１０−１１：複素相関演算部、１０−１２：パイロット検出部、１０−１３：フレーム検出部、１０−１４：補正部、
１０−１００，１０−１０１，１０−１０２，１０−１０３，１０−１０４，１０−１１８：遅延回路、
１０−１３１，１０−１３２，１０−１４０：乗算器、１０−１４１：加算器、
１０−１４２：レベル検出部、１０−１４３：比較器、
ＳＷ１〜ＳＷ１０：同期ワードシンボル
【図１】
2008118463.tif 000003
【図２】
2008118463.tif 000004
【図３】
2008118463.tif 000005
【図４】
2008118463.tif 000006
【図５】
2008118463.tif 000007
【図６】
2008118463.tif 000008
【図７】
2008118463.tif 000009
【図８】
2008118463.tif 000010
【図９】
2008118463.tif 000011
【図１０】
2008118463.tif 000012